(57)【要約】      （修正有）【課題】混合水栓が「都市の低炭素化の促進に関する法律」による「低炭素建築物認定基準」の台所等で使用される混合水栓を手元等で容易に止水操作ができる建築物エネルギー消費性能基準の節湯Ａ１に相当する機械的遠隔操作器具を提供する。【解決手段】既設シングルレバー湯水混合水栓（以下、単に混合水栓という）の吐水口付近にアーム操作先端具８を設置し、次にアーム操作先端具ヒンジ７、アームＢ６、アーム角度調整具４、アームＡ３、レバーハンドル操作具２を順に接続し、続いて混合水栓のレバーハンドルに設置したレバーハンドル固定具１を接続し、混合水栓の吐水管に設置したアームヒンジ固定具５と前述のアーム角度調整具４を接続し、混合水栓を除いた各部材で構成される。【選択図】図１
0003235551.tif 000002
【実用新案登録請求の範囲】
【請求項１】
既設シングルレバー湯水混合水栓（以下、単に混合水栓という）の吐水口付近に設置したアーム操作先端具（８）により混合水栓の吐水管に設置したアームヒンジ固定具（５）を介して混合水栓のレバーハンドルの吐水、止水動作を操作できる機械的遠隔操作器具（以下、単に機械操作具という）。
【請求項２】
混合水栓のレバーハンドルに設置するレバーハンドル固定具（１）で、結束バンドを使用し、固定具とワンタッチで締め付ける締め具と混合水栓レバーハンドルを作動させる突起（以下、単に作動突起という）及び結束バンドを更に締め付ける働きを兼ねたボルト及びナット等を有する器具。
【請求項３】
混合水栓吐水管に設置するアームヒンジ固定具（５）で、結束バンドを使用し、固定具とワンタッチで締め付ける締め具２個を有し、結束バンドを更に締め付ける為とアーム（３，６）及びアーム角度調整具（４）を機械操作具のヒンジとして固定するボルト（以下、単にヒンジ軸という）とナット及びシリコーンゴム等の滑り止め軽減シート等を有する器具。
【請求項４】
平板に機械操作具のヒンジ軸径の穴（以下、単にヒンジ穴という）を連続的にヒンジ軸径より狭い距離の等間隔で複数個開けた開口部を有するアーム（３，６）。
【請求項５】
請求項４記載のアーム（３，６）が入る溝と中心にヒンジ穴を有し、ヒンジ穴を中心に２個を１８０度ずらせた面合わせした場合、円周方向に等間隔角度で互いが噛み込みように設けた凹凸溝を有したアーム角度調整具（４）。
【請求項６】
吐水接触面が鋭角になる先端部や吐水が接触しない先端部や輪にした先端部等、用途目的により交換できるアーム操作先端具（８）。
【請求項７】
アーム操作先端具（８）の軸を上下どちらからでも差し込める筒とアーム操作先端具（８）の垂直角度を調整できるヒンジ部を有するアーム操作先端具ヒンジ（７）。
【請求項８】
上記請求項２記載のレバーハンドル固定具（１）の作動突起が通過する隙間と作動突起の水平回転と吐水管の水平回転を加えた回転角度分の円周長さを有し、ヒンジ部を有するレバーハンドル操作具（２）。
【考案の詳細な説明】
【技術分野】
【０００１】  本発明は平成２４年：「都市の低炭素化の促進に関する法律」による「低炭素建築物認定基準」の台所等で使用される混合水栓を手元等で容易に止水操作ができる建築物エネルギー消費性能基準の節湯Ａ１に相当する器具に関する。
【背景技術】
【０００２】  既設混合水栓の手元等で容易に止水操作ができる節湯Ａ１に関する発明は既に出願されている（特許文献１）。そこでは手元スイッチと電磁弁を組み合わせた電気コントロールにより吐水・止水操作を行っている。【０００３】  吐水口付近に手元レバーを設置した混合水栓の発明は既に出願されている（特許文献２）。そこでは吐水管内部に湯水の混合装置が設けられている。
【先行技術文献】
【特許文献】
【０００４】
【特許文献１】特開平１１−１３１５４７
【特許文献２】特開平１０−７３１６９
【非特許文献】
【０００５】
【非特許文献】日本バルブ工業会  節湯水栓・節水水栓について（２０２１年４月からの情報）  節湯水栓（節湯Ａ１／Ｂ１／Ｃ１）について
【考案の概要】
【考案が解決しようとする課題】
【０００６】  上記の手元操作できる混合水栓は各メーカーから市販されているものの専門業者による工事が必要であり、節湯による節約額と比較して高価な商品となっているため、概して一般家庭に普及していない。
【課題を解決するための手段】
【０００７】  本考案は手元操作できない多種ある混合水栓に対して吐水口付近に設置したアーム操作先端具（８）により混合水栓レバーハンドルを機械的に遠隔操作させる［図１］。【０００８】  以下［図１］により吐水を遠隔で操作できる仕組みについて説明する。
アーム操作先端具（８）とアームＢ（６）はアーム操作先端具ヒンジ（７）により適度な長さで連結され、アームＢ（６）とアームＡ（３）はアーム角度調整具（４）により適度な角度で連結され、アームＡ（３）とレバーハンドル操作具（２）は適度な長さで連結されている。これらは混合水栓吐水管に設置されたアームヒンジ固定具（５）のヒンジ軸とナットにより垂直回転するように取り付けられている。
アーム操作先端具（８）を図示の吐水動作方向の矢印下方向に押し下げるとレバーハンドル操作具（２）は吐水動作方向の矢印上方向に動き、レバーハンドルに固定されたレバーハンドル固定具（１）の作動突起を介して、レバーハンドルは上方に動き、混合水栓吐水口より吐水する。
アーム操作先端具（８）を吐水動作方向の逆に上方向に引き上げるとレバーハンドルは上記と逆に動き止水する。【０００９】  多種の断面形状の混合水栓のレバーハンドルに対応でき、コストダウンを図る為に市販結束バンドを利用するレバーハンドル固定具を提供する。
以下［図２］によりレバーハンドル固定具について説明する。
レバーハンドル固定具は［図２］１：レバーハンドル固定具構成部品で表される締め具、固定具、結束バンド、ボルトの各部品にて構成される。
混合水栓レバーハンドルにレバーハンドル固定具の各部品を［図２］２：レバーハンドルにレバーハンドル固定具をセットした状態のようにセットし、［図２］３：結束バンドを締め具にて締め、固定具ボルトを締めた状態のように締め具を１８０度左回転させると結束バンドは締め具によって持ち上げられた分量が締まる。固定具に取付けのボルトを締め込んでいくと結束バンドは更に締まる。
最終的に［図２］４：結束バンドの形状の締付け後の図のように結束バンド締付け方向に結束バンドは強制的に押し広げられ、広げられた距離分が固定具を締付けた力となり、レバーハンドル固定具はレバーハンドルに固定される。又、ボルトはレバーハンドルを動かす作動突起の役割も果たす。
更に［図２］５：結束バンドずれ防止のように締め具を１８０度回転させると締め具の突起が混合水栓レバーハンドルの先端に掛かり、結束バンドがずれ上がるのを防止する。【００１０】  多種の断面形状の混合水栓の吐水管に対応でき、コストダウンを図る為に市販結束バンドを利用するアームヒンジ固定具を提供する。
以下［図３］によりアームヒンジ固定具について説明する。
アームヒンジ固定具は［図３］１：アームヒンジ固定具構成部品のように締め具２個、固定具、結束バンド、ボルトとナット、シリコンゴムシートの各部品にて構成される。
混合水栓吐水管の適当な位置にアームヒンジ固定具の各部品を［図３］２：混合水栓吐水管にアームヒンジ固定具をセットした状態のようにセットし、［図３］３：結束バンドを締め具にて締め、固定具ボルトを締めた状態のように上側に取り付けている締め具を１８０度左回転方向、下側に取り付けている締め具を１８０度右回転すると、それぞれの締め具により結束バンドは締まり、固定具に取り付けているボルトを締め込んでいくと更に結束バンドは締まる。
最終的に［図３］４：結束バンドの形状の締付け後の図のように結束バンド締付け方向に結束バンドは強制的に押し広げられ、広げられた距離分が固定具を締付ける力となり、アームヒンジ固定具は吐水管に固定される。
固定具に締め込んだ構成部品のボルトは上記の結束バンドの締付けとアームとアーム角度調整具のヒンジ軸としての役割を果たす。
吐水管と固定具に挟んでいる構成部品のシリコンゴムシートは操作時の滑りを抑える役割を果たす。【００１１】  混合水栓の吐水管の長さや上向き角度、レバーハンドルの形状や設置位置は混合水栓器具により様々であり、多種の混合水栓に対してアームの長さや角度を対応調整できるアーム角度調整具を提供する。
以下［図４］によりアーム長さとアーム角度調整の方法について説明する。
［図４］１：アーム２個と［図４］２：アーム角度調整具２個で構成される。
［図４］１：アームはヒンジ軸半径程度の等間隔で連続的に複数個のヒンジ穴を開け、適切なヒンジ穴位置にヒンジ軸を入れることで既設混合水栓の吐水管に対して２個のアームを適切な長さに調整できる。
［図４］２：アーム角度調整具は中央にヒンジ穴を設け、一定間隔の円周角度で凹凸の溝を設け、既設混合水栓の吐水管の上向き角度に対して２個のアームを適切な角度に調整できる。
［図４］３：アームとアーム角度調整具の組み合わせのように２個のアームとヒンジ穴を中心に１６０〜２００度の範囲で回転させて互いに凹側と凸側が噛み合うようにした２個のアーム角度調整具を［図４］４：アームと角度調整具のセット状態のようにそれぞれヒンジ穴を合わせて組み合わせ、［図４］４：固定具とヒンジ軸のセット状態のようにヒンジ軸に入れてナットで留める。【００１２】  吐水口付近に設置したアーム操作先端具とアーム操作先端具ヒンジについて［図５］アーム操作先端具ヒンジとアーム操作先端具により説明する。
［図５］１：アーム操作先端具ヒンジには一方にアーム操作先端具の軸が入る筒を設けてアーム操作先端具の水平角度が調整でき、他方にはアームとの接続する際のヒンジを設けてアーム操作先端具の垂直角度が調整できる。
［図５］２：アームとアーム操作先端具ヒンジの接続により一例を示す。アームとピンとビスを矢印の方向にそれぞれをヒンジ部に移動して固定する。
［図５］３：アーム操作先端具の左図はアーム操作先端具の一方に吐水に触れる部分を鋭角として吐水が横に散るのを抑え、触れる手指が汚れていてアーム操作先端具に手指の汚れが付着したとしても吐水により汚れが落ちる。他方は手指を濡らしたくない場合に使用する。
右図は円形の輪にして、どの部分を触れても操作ができ、［図５］４：アーム操作先端具セット例の右図のようにアーム操作先端具ヒンジの筒の上側から軸を入れれば、アーム操作先端具を高い位置にセットすることができる。【００１３】  混合水栓のレバーハンドルを作動させるレバーハンドル操作具について［図６］レバーハンドル操作具により説明する。
混合水栓のシングルレバーはレバー位置を水平回転させる事により吐水温度が調整できる。又、吐水管も自由に水平回転させる事ができる。
シングルレバーに設置されたレバーハンドル固定具の作動突起が通過できる隙間を設けた板（シングルレバーの水平回転限度角度と吐水管の水平回転有効角度を加えた長さ）をシングルレバーの同心円となるように円形に曲げ、アームと連結してシングルレバーや吐水管の水平回転角度に拘束される事無く、上下に作動させることができ、ヒンジ部を設けてレバーハンドル操作具を水平に調整できる。
【考案の効果】
【００１４】  手元操作ができない既設混合水栓に対して利用者が設置できる手元止水操作器具が安価で提供できれば広く普及して節湯による省エネが期待できる。
【図面の簡単な説明】
【００１５】
【図１】混合水栓に組み込んだ本考案の全体立体図面である。
【図２】混合水栓シングルレバーに設置する固定具の説明図面である。
【図３】混合水栓吐水管に設置する固定具の説明図面である。
【図４】アームとアーム角度調整具の説明図面である。
【図５】アーム操作先端具とアーム操作先端具ヒンジの説明図面である。
【図６】レバーハンドル操作具の説明図面である。
【図１】
0003235551.tif 000003
【図２】
0003235551.tif 000004
【図３】
0003235551.tif 000005
【図４】
0003235551.tif 000006
【図５】
0003235551.tif 000007
【図６】
0003235551.tif 000008
【手続補正書】
【提出日】令和3年5月21日(2021.5.21)
【手続補正１】
【補正対象書類名】実用新案登録請求の範囲
【補正対象項目名】請求項１
【補正方法】変更
【補正の内容】
【請求項１】
既設シングルレバー湯水混合水栓（以下、単に混合水栓という）の吐水口付近にアーム操作先端具（８）を設置し、アーム操作先端具ヒンジ（７）、アームＢ（６）、アーム角度調整具（４）、アームＡ（３）、レバーハンドル操作具（２）を接続し、混合水栓の吐水管に設置したアームヒンジ固定具（５）を介し、混合水栓のレバーハンドルに設置したレバーハンドル固定具（１）で構成される機械的遠隔操作器具（以下、単に機械操作具という）。
【手続補正２】
【補正対象書類名】実用新案登録請求の範囲
【補正対象項目名】請求項２
【補正方法】変更
【補正の内容】
【請求項２】
混合水栓のレバーハンドルに設置するレバーハンドル固定具（１）は、結束バンド、固定具、締め具、ボルト（以下、単に作動突起という）で構成される器具。
【手続補正３】
【補正対象書類名】実用新案登録請求の範囲
【補正対象項目名】請求項３
【補正方法】変更
【補正の内容】
【請求項３】
混合水栓吐水管に設置するアームヒンジ固定具（５）は、結束バンド、締め具２個、ヒンジとして固定するボルト（以下、単にヒンジ軸という）とナット及びシリコーンゴムシートで構成される器具。
【手続補正４】
【補正対象書類名】実用新案登録請求の範囲
【補正対象項目名】請求項４
【補正方法】変更
【補正の内容】
【請求項４】
平板にヒンジ軸径の穴（以下、単にヒンジ穴という）を連続的にヒンジ軸径より狭い距離の等間隔で複数個開けた開口部を有するアーム（３，６）。
【手続補正５】
【補正対象書類名】実用新案登録請求の範囲
【補正対象項目名】請求項６
【補正方法】変更
【補正の内容】
【請求項６】
一方に吐水接触面が鋭角になる先端部及び他方に吐水が接触しない先端部を合わせ構造の物、又は先端部を輪にした構造の物に使用者の選択により交換できる事が特徴の先端部アーム操作先端具（８）
【手続補正６】
【補正対象書類名】実用新案登録請求の範囲
【補正対象項目名】請求項７
【補正方法】変更
【補正の内容】
【請求項７】
請求項６記載のアーム操作先端具（８）の軸が入る筒とヒンジ部を有するアーム操作先端具ヒンジ（７）。
【手続補正書】
【提出日】令和3年9月15日(2021.9.15)
【手続補正１】
【補正対象書類名】実用新案登録請求の範囲
【補正対象項目名】全文
【補正方法】変更
【補正の内容】
【実用新案登録請求の範囲】
【請求項１】
既設シングルレバー湯水混合水栓（以下、単に混合水栓という）の吐水口付近にアーム操作先端具（８）を設置し、次にアーム操作先端具ヒンジ（７）、アームＢ（６）、アーム角度調整具（４）、アームＡ（３）、レバーハンドル操作具（２）を順に接続し、続いて混合水栓のレバーハンドルに設置したレバーハンドル固定具（１）を接続し、混合水栓の吐水管に設置したアームヒンジ固定具（５）と前述のアーム角度調整具（４）を接続し、混合水栓を除いた各部材で構成される「機械的遠隔操作器具」（以下、単に機械操作具という）。
【請求項２】
混合水栓のレバーハンドルに設置するレバーハンドル固定具（１）は、結束バンド、固定具、締め具、請求項１記載のレバーハンドル操作具（２）に接続するボルト（以下、単に作動突起という）で混合水栓のレバーハンドルを除いた各部材で構成される器具。
【請求項３】
混合水栓吐水管に設置するアームヒンジ固定具（５）は、結束バンド、締め具２個、ヒンジとして固定するボルト（以下、単にヒンジ軸という）とナット及びシリコーンゴムシートで混合水栓吐水管を除いた各部材で構成される器具。
【請求項４】
平板にヒンジ軸径の穴（以下、単にヒンジ穴という）を連続的にヒンジ軸径より狭い距離の等間隔で複数個開けた開口部を有するアーム（３，６）。
【請求項５】
請求項４記載のアーム（３，６）が入る溝と中心にヒンジ穴を有し、ヒンジ穴を中心に２個を１８０度ずらせた面合わせをした場合、円周方向に等間隔角度で互いが噛み込むように設けた凹凸溝を有したアーム角度調整具（４）。
【請求項６】
請求項１記載のアーム操作先端具（８）の軸が入る筒とヒンジ部を有するアーム操作先端具ヒンジ（７）。
【請求項７】
上記請求項２記載のレバーハンドル固定具（１）の作動突起が通過する隙間と作動突起の水平回転と吐水管の水平回転を加えた回転角度分の円周長さを有し、ヒンジ部を有するレバーハンドル操作具（２）。